(57)【要約】【課題】専用運転の事前呼びを行った人が確実にエレベータの専用運転サービスを受けられるエレベータの制御システムを提供する。【解決手段】エレベータの制御システムは、専用運転サービスの事前呼びが入力される端末と、上記専用運転サービスの事前呼びを行った利用者の個人識別情報が保管され、上記利用者が携帯する本人識別手段と、エレベータの乗りカゴ内または乗り場に面して設けられ、上記本人識別手段から上記乗りカゴを利用しようとする利用者の個人識別情報を収集する利用者識別装置と、上記エレベータの乗りカゴの運行を制御すると共に、上記専用運転サービスの事前呼びを受け付け、上記本人識別手段での個人識別情報と上記利用者識別装置から得られた個人識別情報とが一致したときだけ専用運転を行う専用運転対応手段を有する制御盤と、を備えた。【選択図】図１
2005212923.tif 000002
【特許請求の範囲】
【請求項１】
専用運転サービスの事前呼びが入力される端末と、
上記専用運転サービスの事前呼びを行った利用者の個人識別情報が保管され、該利用者が携帯する本人識別手段と、
エレベータの乗りカゴ内または乗り場に面して設けられ、上記本人識別手段から上記乗りカゴを利用しようとする人の個人識別情報を収集する利用者識別装置と、
上記エレベータの乗りカゴの運行を制御すると共に、上記専用運転サービスの事前呼びを受け付け、上記本人識別手段での個人識別情報と上記利用者識別装置から得られた個人識別情報とが一致したときだけ専用運転を行う専用運転対応手段を有する制御盤と、
を備えたことを特徴とするエレベータの制御システム。
【請求項２】
専用運転サービスの利用が許可された利用登録者の個人識別情報、待機階および目的階を含む上記端末から入力された利用者情報を保管するデータベースを有し、
上記制御盤が、専用運転サービスの利用を利用登録者として許可し、該利用登録者の上記利用者情報を上記データベースに保管する利用者登録手段を有し、
上記専用運転対応手段が、上記データベースに保管されている待機階および目的階の情報に基づいて専用運転することを特徴とする請求項１に記載のエレベータの制御システム。
【請求項３】
上記個人識別情報がバイオメトリックス情報からなることを特徴とする請求項１または２に記載のエレベータの制御システム。
【発明の詳細な説明】
【技術分野】
【０００１】
この発明は、事前に呼び登録されることにより乗りカゴの専用運転サービスを提供するエレベータの制御システムに関する。
【背景技術】
【０００２】
従来の専用運転サービスを提供するエレベータの制御システムは、各エレベータの制御装置から得られる運転状態に関する情報を通信制御部が受信し、この情報に基づき交通需要演算処理部が専用運転許可または非許可かを判別し、専用運転許可信号発生部から各エレベータにその判別結果を送信している（例えば、特許文献１参照。）。
また、集合住宅向けエレベータは、管理人が管理人室内の操作盤の操作で制御盤に対して専用運転の許可を要求し、エレベータを専用運転可能な状態にできる。そして、利用者は居室の運転切換手段から専用運転を要求する（例えば、特許文献２参照。）。
【０００３】
【特許文献１】特開平１１−１３９６９９号公報
【特許文献２】特開２００２−６０１４８号公報
【発明の開示】
【発明が解決しようとする課題】
【０００４】
しかし、従来の専用運転サービスを提供するエレベータの制御システムでは、専用運転の許可を制御する手段が備えられているが、専用運転の動作は通常乗りカゴ内の戸閉めボタンを押すことから開始されるため、専用運転サービスの事前呼びを行った人物以外の人が戸開待機しているエレベータに乗車して戸閉めボタンを押すと、乗りカゴが専用運転されてしまう。そのため、専用運転サービスを受けようとして事前呼びを行った人が専用運転サービスを受けられないという問題があった。
【０００５】
この発明の目的は、専用運転の事前呼びを行った人が確実にエレベータの専用運転サービスを受けられるエレベータの制御システムを提供することである。
【課題を解決するための手段】
【０００６】
この発明に係わるエレベータの制御システムは、専用運転サービスの事前呼びが入力される端末と、上記専用運転サービスの事前呼びを行った利用者の個人識別情報が保管され、該利用者が携帯する本人識別手段と、エレベータの乗りカゴ内または乗り場に面して設けられ、上記本人識別手段から上記乗りカゴを利用しようとする人の個人識別情報を収集する利用者識別装置と、上記エレベータの乗りカゴの運行を制御すると共に、上記専用運転サービスの事前呼びを受け付け、上記本人識別手段での個人識別情報と上記利用者識別装置から得られた個人識別情報とが一致したときだけ専用運転を行う専用運転対応手段を有する制御盤と、を備えた。
【発明の効果】
【０００７】
この発明に係わるエレベータの制御システムの効果は、事前呼びを行った人の個人識別情報を乗り場または乗りカゴ内で確認するので、専用運転サービスを受けるために事前呼びを行った人が確実にサービスを受けることができる。
【発明を実施するための最良の形態】
【０００８】
実施の形態１．
図１は、この発明の実施の形態１に係わるエレベータの制御システムのブロック図である。この実施の形態１のエレベータ１の制御システムに備えられた専用運転要求者確認装置２は、エレベータ１の専用運転を事前に予約する事前呼びを行うための端末３と、エレベータ１の運行を制御する制御盤４と、専用運転サービスの利用が許可されて登録されている利用者（以下、利用登録者）の情報を保管するデータベース５と、エレベータ１の乗場６に面しまたは乗りカゴ７内に設置された利用者識別装置８とを有している。なお、端末３は専用運転サービスの利用登録を許可してもらうときにも利用される。
さらに、専用運転要求者確認装置２は、利用登録者が携帯している本人識別手段９を有している。
【０００９】
図１に示すように、端末３として、パソコン２０または携帯電話機２１が用いられている。パソコン２０はＬＡＮなどの汎用ネットワーク２２を介してエレベータ１の制御盤４に接続されている。また、携帯電話機２１は、基地局２３、交換機２４を介して汎用ネットワーク２２につながり、その先で制御盤４に接続されている。
また、利用者識別装置８は、本人識別手段９との間で通信を行い、本人識別手段９に記憶されている個人識別情報を受信し、図示していない伝送路を介して制御盤４にその個人識別情報を送信する。
また、本人識別手段９は、携帯電話の利用者ＩＤが記憶されている携帯電話機２１または利用登録者の個人ＩＤが記憶された無線タグ（ＲＦＩＤ）が埋め込まれたＩＣカード１０からなる。利用者識別装置８と携帯電話機２１との間では赤外線通信（ＩｒＤＡ）が行われる。また、利用者識別装置８とＩＣカード１０との間では、無線通信が行われる。
【００１０】
制御盤４は、専用運転サービスの利用者を登録する利用者登録手段２５、専用運転の事前呼びの要求があるときサービス提供の可否を判断し、提供が可能のとき要求に応える専用運転対応手段２６、乗りカゴの運行を制御する乗りカゴ運行手段２７を有している。制御盤４は、ＣＰＵ、ＲＡＭ、ＲＯＭ、インタフェース回路を有するコンピュータから構成されている。
利用者登録手段２５は、パソコン２０または携帯電話機２１から入力された利用者情報（例えば、利用者ＩＤ、標準の待機階、標準の目的階など）に基づいて利用者登録を行う。利用者登録では、その利用者の利用者情報をデータベース５に記憶する。さらに、利用者登録手段２５は、本人識別手段９に個人識別情報としての個人ＩＤを記憶する。
【００１１】
次に、この専用運転要求者確認装置２の専用運転のための事前呼びに対応する手順について図２を参照して説明する。
ステップ１０１で、専用運転を要求する人（以下、専用運転要求者と称す。）が端末３を用いて入力した事前呼びを専用運転対応手段２６が受信し、ステップ１０２へ進む。
ステップ１０２で、専用運転対応手段２６は、専用運転要求者が利用登録者か否かを判断する。利用登録者か否かを判断するときに、データベース５に記憶されている利用者情報の利用者ＩＤと端末３から入力された個人ＩＤとが一致するか否かで判断する。専用運転要求者が利用登録者と認められるときにはステップ１０４へ進み、利用登録者でないときには、ステップ１０３へ進む。
ステップ１０３で、専用運転対応手段２６は、専用運転要求者に対して利用を許可できない旨、端末３に向けて通信する。端末３は、専用運転要求者に表示して知らせる。
ステップ１０４で、専用運転要求者が利用登録者と認められるので、事前呼び利用者として個人ＩＤを事前利用者リストに一時記憶して、ステップ１０５に進む。
ステップ１０５で、専用運転対応手段２６が、事前呼びと同時に待機階および目的階が端末３から入力されているか否かを調べる。待機階および目的階が入力されていないときにはステップ１０６へ進み、待機階および目的階が入力されているときにはステップ１０７へ進む。
ステップ１０６で、専用運転対応手段２６が、データベース５に記憶されている利用者情報から個人ＩＤに基づいて標準の待機階および目的階を読み出し、乗りカゴ運行手段２７の待機階および目的階として設定してステップ１０８に進む。
ステップ１０７で、専用運転対応手段２６が、端末３から入力された待機階および目的階を乗りカゴ運行手段２７の待機階および目的階として設定し、ステップ１０８に進む。
ステップ１０８で、乗りカゴ運行手段２７が、設定された待機階まで乗りカゴを移動し、乗りカゴを待機階に待機させてステップ１０９に進む。同時に、乗り場６に設置されている図示しないスピーカから専用運転のために待機している旨を所定の間隔でアナウンスする。
ステップ１０９で、専用運転対応手段２６が、利用者識別装置８からの個人識別情報の入力の有無を確認する。個人識別情報の入力がないときにはステップ１０９を繰り返して個人識別情報の入力を待つ。一方、個人識別情報の入力があったときにはステップ１１０へ進む。
ステップ１１０で、入力された個人識別情報としての個人ＩＤがステップ１０４で記憶された事前呼び利用者の個人ＩＤと同じか否かを判断する。異なるときには、ステップ１１１へ進む。同じときには、事前に呼び要求を行った人と認められるので、ステップ１１２へ進む。
ステップ１１１で、乗りカゴ内に設けられた図示しないスピーカまたは本人識別装置８から携帯電話２２に通信して乗りカゴの運行ができない旨アナウンスして処理を終了する。
ステップ１１２で、乗りカゴ運行手段２７が設定された目的階まで乗りカゴを移動して、ステップ１１３に進む。
ステップ１１３で、当該専用運転が完了したので、当該利用者の情報を事前呼び利用者リストから削除する。
【００１２】
このような専用運転要求者確認装置が備えられたエレベータの制御システムは、エレベータの乗り場または乗りカゴ内で事前に専用運転サービスを予約した人の個人ＩＤを確認したのちサービスを提供するので、事前に予約した人が確実に専用運転のサービスを受けることができる。
【００１３】
特に、駅のエレベータにこのような専用運転要求者確認装置が備えられていると、車椅子利用者のために予約した駅員を確認したときだけ専用運転のサービスが開始されるので、一般の人が使ったためにサービスを受けられないということがなくなる。このように、公共サービスに用いられているエレベータにおいて社会的貢献度が高い。
【００１４】
また、利用が許可された人だけに専用運転サービスが提供されるので、必要性の高いとき確実に提供することができる。
【００１５】
また、個人識別情報として携帯電話の利用者情報を兼用することができるので、この専用運転要求者確認のためだけに本人識別手段を用意しなくてもよい。
【００１６】
実施の形態２．
この発明の実施の形態２に係わるエレベータの専用運転要求者確認装置は、個人識別を指紋、虹彩などのバイオメトリックス情報を用いて行うことが実施の形態１と異なっている。同様な部分は実施の形態１と同じ符号を付けて説明は省略する。
利用者登録手段２５は、端末３に接続された図示しない指紋採取装置から採取された指紋を利用者情報の一部としてデータベース５に記憶する。
専用運転対応手段２６は、事前呼びが行われるとき指紋を指紋採取装置で採取して制御盤４に送信するように要求し、その指紋と利用者登録の際に記憶した指紋とを比較して、利用登録者か否かを判断する。
また、利用者識別装置８には、指紋採取装置が備えられていて、指紋が入力されたときだけ、事前呼び利用者か否か判断する。
【００１７】
このような専用運転要求者確認装置が備えられたエレベータの制御システムは、指紋などのバイオメトリックス情報を用いて個人識別を行うので、利用者が個人ＩＤなどを保管した携帯端末を所持する必要がない。
【図面の簡単な説明】
【００１８】
【図１】この発明の実施の形態１に係わる専用運転要求者確認装置のブロック図である。
【図２】専用運転サービスの運用手順を示すフローチャートである。
【符号の説明】
【００１９】
１  エレベータ、２  専用運転要求者確認装置、３  端末、４  制御盤、５  データベース、６  乗り場、７  乗りカゴ、８  利用者識別装置、９  本人識別手段、１０  ＩＣカード、２０  パソコン、２１  携帯電話機、２２  汎用ネットワーク、２３  基地局、２４  交換機、２５  利用者登録手段、２６  専用運転対応手段、２７  乗りカゴ運行手段。
【図１】
2005212923.tif 000003
【図２】
2005212923.tif 000004